(57)【特許請求の範囲】
【請求項１】
（Ａ）下記一般式（１）
【化１】
0004825516.tif 000008
[（１）式中、R1は炭素数８〜１８の、直鎖又は分岐鎖のアルキル基又はアルケニル基を示し、ｌは０〜１０の数を示す。XおよびYはそれぞれ水素原子、アルカリ金属原子、アンモニウム基、塩基性アミノ基または炭素数２もしくは３のヒドロキシアルキル基を有するアルカノールアミン残基を示す] で表されるアルキルリン酸モノエステル、
（Ｂ）（ｂ１）下記一般式（２）、
（ｂ２）下記一般式（３）、及び
（ｂ３）下記一般式（４）
【化２】
0004825516.tif 000009
[（２）〜（４）式中、R2は炭素数１２〜１８の飽和又は不飽和の直鎖または分岐鎖のアルキル基を示し、R3、R4およびR5はそれぞれ炭素数１〜３のアルキル基、ヒドロキシアルキル基を示し、R6は炭素数１２〜１８の飽和又は不飽和の直鎖または分岐鎖のアルキル基を示し、R7は炭素数１〜３のアルキレン基、ヒドロキシアルキレン基を示し、R8は炭素数１４〜１８の飽和又は不飽和の直鎖または分岐鎖のアルキル基を示し、X-はハロゲンイオンを示す]
で表される四級アンモニウム、カルボキシベタイン、およびスルホベタインからなる群から選ばれる少なくとも１種のカチオン性または両性の界面活性剤、及び
（Ｃ）下記一般式（5）
【化３】
0004825516.tif 000010
[（５）式中、R3およびR4はそれぞれ炭素数１〜３のアルキル基またはヒドロキシアルキル基を、R7は炭素数１〜３のアルキレン基またはヒドロキシアルキレン基を示し、R9は炭素数４〜１０の飽和又は不飽和の直鎖または分岐鎖のアルキル基を示す]
で表されるカルボキシベタインを含有する洗浄剤組成物。
【請求項２】
ｐＨが２〜７である請求項１に記載の洗浄剤組成物。
【請求項３】
さらに（Ｄ）一般式（6）
【化４】
0004825516.tif 000011
[式中、R10は炭素数4〜10の飽和又は不飽和の直鎖または分岐鎖のアルキル基を示す]
であらわされる化合物を含有する請求項１または２に記載の洗浄剤組成物。
【請求項４】
一般式（１）のR1がC12.6であり、ｌが０．５である請求項１〜３のいずれかに記載の洗浄剤組成物。
【請求項５】
（Ｂ）成分が炭素数１４の四級アンモニウムクロライドである請求項１〜４のいずれかに記載の洗浄剤組成物。
【請求項６】
（Ｂ）成分が炭素数１６のカルボキシベタインまたは炭素数１６のヒドロキシスルホベタインである請求項１〜４のいずれかに記載の洗浄剤組成物。
【請求項７】
（Ｃ）成分が炭素数８のカルボキシベタインである請求項１〜４のいずれかに記載の洗浄剤組成物。
【発明の詳細な説明】
【技術分野】
【０００１】
本発明は洗浄剤組成物に関し、さらに詳しくは、起泡性に優れ、泡質がクリーム状を呈する洗浄剤組成物に関する。
【背景技術】
【０００２】
洗顔料、全身洗浄料、シャンプー等の洗浄剤は使用の際、直接皮膚に接触するため、使用感を向上させる豊かな泡立ちおよび皮膚への低刺激性が要求される。また、低刺激性に対するさらなる要求の高まりから、これら洗浄剤が示すｐＨ領域は塩基性から中性、さらには弱酸性へと移行している。このような要求を満たす目的から低刺激性界面活性剤として陰イオン性界面活性剤の一種であるリン酸エステル系界面活性剤が使用されている。
しかし、このリン酸エステル系界面活性剤は水に対する溶解性が他の陰イオン性界面活性剤に比べて乏しく、中性〜弱酸性のpH領域においてその傾向はさらに顕著となるため、起泡性が大幅に低下するという問題があった。
このような問題を解決するために、１種類の助剤を配合した洗浄剤組成物が提案されている。たとえば、助剤として特定構造のヒドロキシスルホベタインを用いた洗浄剤組成物が開示（例えば、特許文献１）されており、この洗浄剤組成物は起泡性や低温安定性が改善されるという点では優れているが、起泡性、泡質の両方を同時に満足するものではなかった。
また、リン酸エステル系界面活性剤に異なる２種類の助剤としてイソプレングリコールとラウリルヒドロキシスルホベタインを配合した洗浄剤組成物が開示（例えば、特許文献２）されているが、起泡性、泡質の改善の点で比較的効果はあるものの充分なものではなかった。
さらに、アルキルリン酸モノエステルにアルキルリン酸ジエステルとラウリルジメチルヒドロキシスルホベタイン等を配合した洗浄剤組成物が開示（例えば、特許文献３）されているが、この洗浄剤組成物も起泡性、泡質の両方を同時に満足するという点ではさらなる改善が要望されている。
【０００３】
【特許文献１】特開昭６２−１３８５９４号公報
【特許文献２】特開平７−８２５９０号公報
【特許文献３】特開２００３−３１３５８６号公報
【発明の開示】
【発明が解決しようとする課題】
【０００４】
本発明の課題は、アルキルリン酸モノエステル（以下、ＭＡＰと記載することがある）を配合した洗浄剤組成物における起泡性および泡質を改善することである。
【課題を解決するための手段】
【０００５】
本発明者は、アルキルリン酸モノエステルに２種類の界面活性剤を組み合わせて配合することにより生じる相乗効果により洗浄剤組成物における起泡性および泡質の両方が改善されることを見出した。
【０００６】
本発明は、（Ａ）下記一般式（１）
【化１】
0004825516.tif 000002
[（１）式中、R1は炭素数８〜１８の、直鎖又は分岐鎖のアルキル基又はアルケニル基を示し、ｌは０〜１０の数を示す。XおよびYはそれぞれ水素原子、アルカリ金属原子、アンモニウム基、塩基性アミノ基または炭素数２もしくは３のヒドロキシアルキル基を有するアルカノールアミン残基を示す] で表されるアルキルリン酸モノエステル、
（Ｂ）（ｂ１）下記一般式（２）、
（ｂ２）下記一般式（３）、及び
（ｂ３）下記一般式（４）
【化２】
0004825516.tif 000003
[（２）〜（４）式中、R2は炭素数１２〜１８の飽和又は不飽和の直鎖または分岐鎖のアルキル基を示し、R3、R4およびR5はそれぞれ炭素数１〜３のアルキル基、ヒドロキシアルキル基を示し、R6は炭素数１２〜１８の飽和又は不飽和の直鎖または分岐鎖のアルキル基を示し、R7は炭素数１〜３のアルキレン基、ヒドロキシアルキレン基を示し、R8は炭素数１４〜１８の飽和又は不飽和の直鎖または分岐鎖のアルキル基を示し、X-はハロゲンイオンを示す]
で表される四級アンモニウム、カルボキシベタイン、およびスルホベタインからなる群から選ばれる少なくとも１種のカチオン性または両性の界面活性剤、及び
（Ｃ）下記一般式（5）
【化３】
0004825516.tif 000004
[（5）式中、R3およびR4はそれぞれ炭素数１〜３のアルキル基またはヒドロキシアルキル基を、R7は炭素数１〜３のアルキレン基またはヒドロキシアルキレン基を示し、R9は炭素数４〜１０の飽和又は不飽和の直鎖または分岐鎖のアルキル基を示す]
で表されるカルボキシベタインを含有する洗浄剤組成物を提供する。
【発明の効果】
【０００７】
本発明によれば、特定の２種類の助剤を用いることで起泡力及び泡質の向上を達成することができる。
【発明を実施するための最良の形態】
【０００８】
本発明の洗浄剤組成物はアルキルリン酸エステル類とともに従来から使用されている四級アンモニウム化合物またはベタインを使用する際、長鎖あるいは分岐鎖を有するアルキル基の炭素数の異なる２種類のベタインを組み合わせるか、四級アンモニウム化合物と長鎖あるいは分岐鎖を有するアルキル基の炭素数の異なるベタインを組み合わせて使用することにより起泡力および泡質向上の相乗効果を発揮させるものである。
【０００９】
（A）成分である一般式（１）で表されるアルキルリン酸モノエステルにおいて、R1は炭素数８〜１８の直鎖あるいは分岐鎖のアルキル基又はアルケニル基であり、起泡性及び水溶性の観点から、好ましくは、炭素数９〜１５、さらに好ましくは、１０〜１４のアルキル基又はアルケニル基である。ｌはエチレンオキサイドの平均付加モル数を示し、その値は起泡性及び水溶性の観点から、０〜１０であり、好ましくは０〜３であり、より好ましくは０または１である。
XおよびYはそれぞれ独立に水素原子、アルカリ金属原子、アンモニウム基、塩基性アミノ基または炭素数２若しくは３のヒドロキシアルキル基を有するアルカノールアミン残基を示す。具体的には、リチウム、ナトリウム、カリウム、マグネシウム、カルシウムの各原子、モノエタノールアミン、ジタノールアミン、トリエタノールアミン各残基等が挙げられる。XまたはYとして、好ましくはナトリウム原子、カリウム原子、トリエタノールアミン残基、より好ましくは、カリウム原子である。
上記ＭＡＰは対応するアルコールと無水リン酸又はオキシ塩化リン等のリン酸化剤とを反応させ、さらに水酸化ナトリウム、水酸化カリウム等の塩基で中和することにより得ることができる。
上記ＭＡＰの具体例としては、特開平８−１２７７９８号公報の段落００３３に記載されているモノリン酸エステルの中でオクチルリン酸モノエステル、ノリルリン酸モノエステル、デシルリン酸モノエステル、イソデシルリン酸モノエステル、ウンデシルリン酸モノエステル、ラウリルリン酸モノエステル、トリデシルリン酸モノエステル、ミリスチルリン酸モノエステル、ペンタデシルリン酸モノエステル、セチルリン酸モノエステル、ヘプタデシルリン酸モノエステル、ステアリルリン酸モノエステル、オレイルリン酸モノエステルおよびそれらのエチレンオキサイド付加物等が挙げられる。本発明においては、これらのＭＡＰの中で、起泡性、水溶性、人体に対する安全性、低刺激性、コスト等の観点からデシルリン酸モノエステル、イソデシルリン酸モノエステル、ウンデシルリン酸モノエステル、ラウリルリン酸モノエステル、トリデシルリン酸モノエステル、ポリオキシエチレン(0.5)ラウリルリン酸エステル、ポリオキシエチレン(1.0)ラウリルリン酸エステル、ポリオキシエチレン(0.5)トリデシルリン酸エステル、ポリオキシエチレン(1.0)トリデシルリン酸エステルが好ましい。これらのＭＡＰは１種で、または２種以上組み合わせて用いても良い。
【００１０】
本発明の洗浄剤組成物には、効果を損なわない範囲でさらに、アルキルリン酸ジエステル（ＤＡＰ）を添加しても良く、そのアルキル種はＭＡＰのアルキル種と同種のものを用いるのが好ましく、添加量は（Ａ）成分のＭＡＰ１００質量部に対して、２５質量部以内が好ましい。
【００１１】
（Ｂ）成分の中で（ｂ1）成分である一般式（２）で表される四級アンモニウムにおいて、R2は炭素数１２〜１８の飽和又は不飽和の直鎖または分岐鎖のアルキル基（アルケニル基を一部に含むものでもよい）を示す。具体的にはn-ドデシル基、ドデセル基、メチルドデシル基、n-テトラデシル基、テトラデセル基、メチルテトラデシル基、n-ヘキサデシル基、ヘキサデセル基、メチルヘキサデシル基、n-オクタデシル基、オクタデセル基等が挙げられる。炭素数は、泡質と起泡性の観点から好ましくは、１４〜１８、より好ましくは１４〜１６、さらに好ましくは、１４である。R3、R4およびR5はそれぞれ炭素数１〜３のアルキル基、もしくはヒドロキシアルキル基であり、それぞれ同一でも異なっていてもよい。具体例としてはメチル基、エチル基、n-プロピル基、イソプロピル基、1-ヒドロキシエチル基、2-ヒドロキシプロピル基等が挙げられる。好ましくはメチル基である。X-は陰イオンを示し、塩素イオン、臭素イオンまたはヨウ素イオンなどのハロゲンイオン、またはメチル硫酸イオン、エチル硫酸イオン等が挙げられる。好ましくは、ハロゲンイオン、より好ましくは、塩素イオンである。四級アンモニウムの具体例としては、例えば、特開２００５−３０７０２０号公報に記載のラウリルトリメチルアンモニウムクロライド、ミリスチルトリメチルアンモニウムクロライド、パルミチルトリメチルアンモニウムクロライド、ステアリルトリメチルアンモニウムクロライド、オレイルトリメチルアンモニウムクロライド、セチルトリメチルアンモニウムクロライド、ベヘニルトリメチルアンモニウムクロライド、ステアリルトリメチルアンモニウムブロマイド等が挙げられ、本発明においては、起泡力および泡質向上効果の観点からラウリルトリメチルアンモニウムクロライド、ミリスチルトリメチルアンモニウムクロライド、                  パルミチルトリメチルアンモニウムクロライド、ステアリルトリメチルアンモニウムクロライド、オレイルトリメチルアンモニウムクロライドのような炭素数１２〜１８の四級アンモニウムが好ましい。これらの四級アンモニウムは１種で、または２種以上組み合わせて用いても良い。
【００１２】
（ｂ2）成分である一般式（３）で示すカルボキシベタイン化合物において、R3およびR4は上記と同じであり、R6は炭素数１２〜１８の飽和又は不飽和の直鎖または分岐鎖のアルキル基を示す。具体的にはn-ドデシル基、ドデセル基、メチルドデシル基、n-テトラデシル基、テトラデセル基、メチルテトラデシル基、n-ヘキサデシル基、ヘキサデセル基、メチルヘキサデシル基、n-オクタデシル基、オクタデセル基等が挙げられる。
炭素数は泡質と起泡性の観点から、好ましくは、１４〜１８、より好ましくは１４〜１６、さらに好ましくは１６である。R7は炭素数１〜３のアルキレン基、もしくはヒドロキシアルキレン基である。具体例としてメチレン基、エチレン基、プロピレン基、2-ヒドロキシプロピレン基等が挙げられる。好ましくはメチレン基、2-ヒドロキシプロピレン基である。
上記のようなカルボキシベタイン化合物の具体例としては、特公昭５８−５１９９１号公報に記載のデシルジメチルカルボキシベタイン、ラウリルジメチルカルボキシベタイン、ミリスチルジメチルカルボキシベタイン、パルミチルジメチルカルボキシベタイン、ステアリルジメチルカルボキシベタイン、オレイルジメチルカルボキシベタイン等が挙げられ、これらの中でも起泡力および泡質向上効果の観点からミリスチルジメチルカルボキシベタイン、パルミチルジメチルカルボキシベタインが好ましい。
（ｂ2）成分であるカルボキシベタイン化合物は１種で、または２種以上組み合わせて用いても良い。
【００１３】
（ｂ3）成分である一般式（４）で示すスルホベタイン化合物において、R3、R4 、R7は前記と同じであり、R8は炭素数１４〜１８の飽和又は不飽和の直鎖または分岐鎖のアルキル基を示す。具体的には、n-テトラデシル基、テトラデセル基、メチルテトラデシル基、n-ヘキサデシル基、ヘキサデセル基、メチルヘキサデシル基、n-オクタデシル基、オクタデセル基、メチルオクタデシル基等が挙げられる。
炭素数は泡質と起泡性の点から１４〜１８、より好ましくは１４〜１６、さらに好ましくは１６である。
上記のようなスルホベタイン化合物の具体例としては、たとえば、特開平７−４８２３５号公報に記載のラウリルジメチルヒドロキシスルホベタイン、ミリスチルジメチルヒドロキシスルホベタイン、パルミチルジメチルヒドロキシスルホベタイン、ステアリルジメチルヒドロキシスルホベタイン、オレイルジメチルヒドロキシスルホベタイン、ヤシ油脂肪酸ジメチルヒドロキシスルホベタイン、ラウリルジメチルアミノプロパンスルホベタイン、ヤシ油脂肪酸ジメチルアミノプロパンスルホベタイン等が挙げられ、これらの中でも起泡力および泡質向上効果の観点からミリスチルジメチルヒドロキシスルホベタイン、パルミチルジメチルスルホベタインが好ましい。
（ｂ3）成分である上記のスルホベタイン化合物は１種で、または２種以上組み合わせて用いることができる。さらに、（Ｂ）成分である上記の（ｂ1）〜（ｂ3）成分は（ｂ1）と（ｂ2）の２種類や(b１)、(b2)、（ｂ3）の３種類等各種組み合わせて用いることができる。
【００１４】
（C）成分である一般式（５）で表されるカルボキシベタイン化合物において、R3、R4 、R7は前記と同じであり、R9は炭素数４〜１０の飽和、不飽和、または分岐のアルキル基を示す。具体的にはn-プロピル基、イソプロピル基、n-ブチル基、sec-ブチル基、t-ブチル基、n-ヘキシル基、n-へプチル基、n-オクチル基、2-エチルヘキシル基、ｎ-ノニル基、n-ノネニル基、ｎ-デシル基等が挙げられる。起泡性及び水溶性の観点から炭素数は好ましくは、４〜８、より好ましくは６〜８、さらに好ましくは８である。
上記のようなカルボキシベタイン化合物の具体例としては、起泡力および泡質改善効果の観点からブチルジメチルカルボキシベタイン、ヘキシルジメチルカルボキシベタイン、オクチルジメチルカルボキシベタインが好ましく、オクチルジメチルカルボキシベタインが特に好ましい。
【００１５】
本発明の洗浄剤組成物中の[（Ａ）＋（Ｂ）＋（C）]成分の合計含有量は好ましくは、０．１〜５０質量％、より好ましくは、０．５〜３５質量％であり、残余は  水、食塩などの無機電解質、（A）、（B）および（C）成分以外の界面活性剤、保湿剤、溶剤、香料、ポリマー、タルクなどの感触改質剤等である。
【００１６】
（Ａ）成分に対する（Ｂ）成分の配合比（Ｂ）/（Ａ）は質量基準で好ましくは、１/２０〜１/１、より好ましくは、１/１０〜１/３であり、（Ａ）成分に対する（C）成分の配合比（C）/（Ａ）は質量基準で好ましくは、１/５０〜１/２、より好ましくは、１/１０〜１/４である。（Ｂ）/（Ａ）および（C）/（Ａ）を前記のような範囲に維持することにより、（Ａ）成分に対して（Ｂ）成分と（C）成分を同時に使用することによる相乗効果が発揮される。
【００１７】
本発明の洗浄剤組成物のpＨは皮膚低刺激性の観点から、好ましくは２〜７であり、より好ましくは、４〜７、さらに好ましくは５〜７である。pＨを２〜７の範囲にするためには、洗浄剤組成物を５質量％以下に希釈して任意の酸または塩基を用いて調整する。
【００１８】
本発明の洗浄剤組成物においては、さらに下記一般式（６）
【化４】
0004825516.tif 000005
であらわされる（Ｄ）成分を配合することにより起泡力および泡質改善効果が顕著になる。一般式（６）において、R10は炭素数4〜10の飽和又は不飽和の直鎖または分岐鎖のアルキル基を示す。具体的には、２−エチルヘキシル基、n-オクチル基  、n-デシル基  、イソデシル基等が挙げられる。（Ｄ）成分の具体例としては、2−エチルヘキシルグリセリルエーテル、オクチルグリセリルエーテル、デシルグリセリルエーテル、イソデシルグリセリルエーテル等が挙げられ、本発明においては、起泡力および泡質向上効果および入手の容易さの観点から2−エチルヘキシルグリセリルエーテルが特に好ましい。
[（Ａ）＋（Ｂ）＋（Ｃ）]成分に対する（Ｄ）成分の配合比（Ｄ）/[（Ａ）＋（Ｂ）＋（Ｃ）] は起泡力および泡質向上効果促進の観点から、質量基準で好ましくは、１/１００〜１/１０、より好ましくは、１/５０〜１/１５である。
【００１９】
本発明の洗浄剤組成物は洗顔料、全身洗浄料、ヘアシャンプー、ボディーシャンプー等の直接皮膚に接触する洗浄剤製品として有用であるが、必要に応じて、各種用途に対応した任意成分を添加することができる。
任意成分としては、通常の洗浄剤に用いられる他の界面活性剤、例えばポリオキシアルキレンアルキルエーテル硫酸塩、アルキル硫酸塩、アルキルベンゼンスルホン酸塩、α―オレフィンスルホン酸塩、アルカンスルホン酸塩、脂肪酸塩、α―スルホ脂肪酸エステル塩、ポリオキシアルキレンアルキルエーテル、脂肪酸のモノ及び、ジアルカノールアミド、アルキルグルコシド等の非イオン界面活性剤、アミドプロピルベタインを配合することもできる。
その他の任意成分としては、通常の洗浄剤に用いられる成分、例えば、プロピレングリコール、ジプロピレングリコール、グリセリン、ソルビトール等の保湿剤；メチルセルロース、ポリオキシエチレングリコールジステアレート、エタノール等の粘度調整剤；トリクロサン、トリクロロカルバン等の殺菌剤；グリチルリチン酸カリウム、酢酸トコフェロール等の抗炎症剤；ジンクピリチオン、オクトピロックス等の抗フケ剤；メチルパラベン、ブチルパラベン等の防腐剤；香料、色素、酸化防止剤等を配合することができる。
【実施例】
【００２０】
[実施例１〜３および比較例１〜３]
実施例１〜３および比較例１〜３で使用した各成分は以下の通りであり、表１にそれぞれの配合量および測定した泡量等の結果を示した。
（Ａ）成分 C12.6のＭＡＰ：一般式（１）におけるR1がC12.6で、ｌが０．５であるネオドール２３（シェル社製）をポリリン酸を用いてリン酸エステル化した[リン酸エステル化反応については、油化学、第３６巻、第９号（１９８７）、ｐ６２９参照]。反応終了物に対し４８％水酸化カリウムならびにイオン交換水を用いて１５質量％１当量カリウム塩水溶液を調整した。イオン交換水を用いてこの水溶液を所定の濃度に希釈して表１に示す量になるように使用した。
(b1)成分  C14の四級アンモニウム：テトラデシルトリメチルアンモニウムクロライド[東京化成（株）社製]
(b2)成分  C16のカルボキシベタイン：  ヘキサデシルジメチルアミン[ファーミンDM6098、花王（株）製]をモノクロロ酢酸ナトリウム[関東化学（株）製]、並びに水酸化ナトリウムを用いてイオン交換水、エタノール混合溶媒中にて既知の方法にて４級化反応を行った。得られた水溶液を濃縮しエタノールを加えて副成物である塩化ナトリウムを濾別した。濾液をエタノールにて再結晶することによりC16のカルボキシベタイン（純度：９８質量％）を得て、これを使用した。
(b3)成分  C16のスルホベタイン：  ヘキサデシルジメチルアミン[ファーミンDM6098、花王（株）製]を３−クロロ−２−ヒドロキシプロパンスルホン酸ナトリウム「東京化成工業（株）製」、並びに水酸化ナトリウムを用いてイオン交換水、エタノール混合溶媒中にて既知の方法にて４級化反応を行った。得られた水溶液を濃縮しエタノールを加えて副成物である塩化ナトリウムを濾別した。濾液をエタノールを用いて再結晶することによりC16のスルホベタインのカルボキシベタイン（純度：９７質量％）を得て、これを使用した。
（C）成分   C8のカルボキシベタイン：  オクチルジメチルアミン[ファーミンDM0898、花王（株）製]をモノクロロ酢酸ナトリウム[関東化学（株）製]、並びに水酸化ナトリウムを用いてイオン交換水、エタノール混合溶媒中にて既知の方法にて４級化反応を行った。得られた水溶液を濃縮しエタノールを加えて副成物である塩化ナトリウムを濾別した。濾液を再び濃縮しイオン交換水を用いて希釈することによりC8のカルボキシベタイン（有効成分：３９質量％）を得て、これを使用した。
[(b2)、(b3)および（C）成分における４級化反応については、AMPHOTERIC SURFACTANTS surfactant science series Vol. 59, p78 (Second Edition, Marcel Dekker, Inc.)参照]
(D)成分  ２−エチルヘキシルグリセリルエーテル（表中では、GE-EHと表示）
【００２１】
[実施例４〜６]
(D)成分である２−エチルヘキシルグリセリルエーテルを用いなかった以外はそれぞれ実施例１〜３と同様に行った。表２にそれぞれの配合量および測定した泡量等の結果を示した。
【００２２】
【表１】
0004825516.tif 000006
【００２３】
【表２】
0004825516.tif 000007
【００２４】
注：表１および２中のｐＨはＭＡＰ単体のｐＨを示しており、その値は（Ｂ  ）、(C)および（D）各成分を加えてもほとんど変化はない。
【００２５】
《洗浄剤組成物の調整法》
室温で50mlのサンプル瓶に表１および２に示されている配合組成で各成分を入れて混合後、40〜60℃に加熱し、一度溶解させて、室温まで放冷した。
【００２６】
《測定方法》
・泡量試験
栓および目盛り付きガラス管（長さ１８０mm×２５mmφ）に各組成物5gを入れ、８０回手で振とうし、振とう後の泡量により評価を行った。
・泡粘度試験
ガラス管（長さ２７０ｍｍ×４０ｍｍφ）  に組成物１５ｇを入れ、ガラス器具洗浄用ブラシ（長さ３６０ｍｍ×６０ｍｍφ×毛渡り６５mm）を２０回往復させて泡立てた。発生した泡をプラスチック製カップ（高さ５４mm×４３mmφ）に移し替え、B型粘度計（TOKIMEC  INC.製  ローター： No.３、  回転：１２ r/min）で測定し評価を行った。
上記の測定はすべて室温で行った。
【００２７】
上記表１および２の結果から、本発明の洗浄剤組成物においては、（Ａ）成分に（Ｂ）成分と（C）成分とを添加することにより起泡性および泡質が改善され、かつ、（Ｄ）成分をさらに追加することにより、改善効果が促進されることが明らかである。
【産業上の利用可能性】
【００２８】
本発明の洗浄剤組成物は豊かな泡立ちおよび皮膚への低刺激性を呈するので、特に、直接皮膚に接触する洗顔料、全身洗浄料、シャンプー等の洗浄剤に用いると極めて有用である。